(57)【要約】【課題】通過させるべき周波数帯域の信号の損失を低減することが可能な帯域阻止フィルタを提供する。【解決手段】伝送路上にλｃ／４の電気長を有する線路１１を設け、該線路１１の近傍に、線路１１と同一の電気長を有する線路１１ａを設ける。更に、線路１１ａをリング状経路に接続し、該リング状経路にλｃ／４の電気長を有する線路１３を設け、該線路１３の近傍に線路１３と同一の電気長を有する線路１３ａを設ける。また、線路１３ａの端部にλｃ／４の電気長を有する開放型スタブ１５を設ける。その結果、伝送路１０を送信される高周波信号から、所望の周波数ｆｃの信号のみを選択的に遮断することができる。また、線路１１と線路１１ａは物理的に遮断されているので、通過させるべき周波数帯域の信号の損失を低減できる。【選択図】      図１
2015130586.tif 000002
【特許請求の範囲】
【請求項１】
伝送路上に設けられた第１の線路と、
前記第１の線路と同一の電気長を有し、且つ該第１の線路とは非接触で近接配置された第１の結合線路と、
前記第１の結合線路を含むリング状経路に設けられた第２の線路と、
前記第２の線路と直接、或いは間接的に接続された第１のスタブと、
を備えたことを特徴とする帯域阻止フィルタ。
【請求項２】
前記第２の線路と同一の電気長を有し、且つ該第２の線路とは非接触で近接配置された第２の結合線路を更に備え
前記第１のスタブは、前記第２の結合線路の一端に接続されることを特徴とする請求項１に記載の帯域阻止フィルタ。
【請求項３】
前記第２の結合線路の他端には、遮断周波数と一致するインダクタンス、及びキャパシタンスとなる線路幅、及び線路長を有する第２のスタブが接続されたことを特徴とする請求項２に記載の帯域阻止フィルタ。
【請求項４】
前記第２の結合線路は、前記リング状経路の内側に設けられることを特徴とする請求項２または請求項３のいずれかに記載の帯域阻止フィルタ。
【請求項５】
前記第１の線路と第１の結合線路はそれぞれ複数個並列に設けられて、互いに近接配置されることを特徴とする請求項２〜請求項４のいずれか１項に記載の帯域阻止フィルタ。
【請求項６】
前記第１の線路は、遮断周波数の１／４波長の奇数倍とされた電気長を有することを特徴とする請求項１〜請求項５のいずれか１項に記載の帯域阻止フィルタ。
【請求項７】
前記第２の線路は、遮断周波数の１／４波長の奇数倍とされた電気長を有することを特徴とする請求項１〜請求項６のいずれか１項に記載の帯域阻止フィルタ。
【請求項８】
前記リング状経路の一周は、遮断周波数の１／２波長の奇数倍となる電気長を有することを特徴とする請求項１〜請求項７のいずれか１項に記載の帯域阻止フィルタ。
【請求項９】
前記第１のスタブは、遮断周波数の１／４波長の奇数倍とされた電気長を有することを特徴とする請求項１〜請求項８のいずれか１項に記載の帯域阻止フィルタ。
【請求項１０】
前記第１のスタブは、遮断周波数とは若干異なる第２の遮断周波数の１／４波長の奇数倍とされた電気長を有することを特徴とする請求項１〜請求項８のいずれか１項に記載の帯域阻止フィルタ。
【請求項１１】
前記リング状経路の少なくとも一部は、円弧状をなすことを特徴とする請求項１〜１０のいずれか１項に記載の帯域阻止フィルタ。
【請求項１２】
前記リング状経路の内部及び外周部に、前記第１の線路、第１の結合線路、第２の線路、及び第１のスタブと非接触で、且つ、グランドに接続されたコープレーナウェーブガイドを設けたことを特徴とする請求項１〜請求項１１のいずれか１項に記載の帯域阻止フィルタ。
【発明の詳細な説明】
【技術分野】
【０００１】
本発明は、所望周波数成分の信号の通過を阻止する帯域阻止フィルタに係り、特に、フィルタ特性を向上させる技術に関する。
【背景技術】
【０００２】
従来における帯域阻止フィルタとして、例えば特許文献１に開示されたものが知られている。該特許文献１では、リング形状のフィルタに、所望周波数の１／４電気長の開放型スタブを設けることにより、入力信号から所望する帯域の周波数成分の信号を除去している。
【先行技術文献】
【特許文献】
【０００３】
【特許文献１】国際公開２００４／１０５１７５号公報
【発明の概要】
【発明が解決しようとする課題】
【０００４】
しかしながら、上述した特許文献１に開示された従来例は、信号の伝送路とリングフィルタとが導体により物理的に連結されている。このため、特に、ミリ波以上の高周波信号に適用する場合には、該リングフィルタにより所望の周波数帯域の信号を減衰させることができるものの、通過させるべき周波数帯域の信号の一部がリングフィルタ、及び該リングフィルタに接続された開放型スタブに伝達されてしまい、伝送損失が発生するという問題が生じる。
【０００５】
本発明は、このような従来の課題を解決するためになされたものであり、その目的とするところは、通過させるべき周波数帯域の信号の損失を低減することが可能な帯域阻止フィルタを提供することにある。
【課題を解決するための手段】
【０００６】
上記目的を達成するため、本願発明は、伝送路上に設けられた第１の線路と、第１の線路と同一の電気長を有し、第１の線路とは非接触で近接配置された第１の結合線路とを備える。更に、リング状経路に設けられる第２の線路と、この第２の線路と直接、或いは間接的に接続された第１のスタブと、を備える。
【発明の効果】
【０００７】
本発明に係る帯域阻止フィルタでは、第１の線路と第１の結合線路とが非接触とされているので、通過させるべき周波数帯域の信号がリング状経路に伝達されることを防止でき、通過させるべき周波数帯域の信号の損失を低減することができる。
【図面の簡単な説明】
【０００８】
【図１】本発明の第１実施形態に係る帯域阻止フィルタを示す構成図である。
【図２】本発明の第１実施形態に係る帯域阻止フィルタの、減衰特性を示す説明図である。
【図３】本発明の第２実施形態に係る帯域阻止フィルタを示す構成図である。
【図４】本発明の第２実施形態に係る帯域阻止フィルタの、減衰特性を示す説明図である。
【図５】本発明の第３実施形態に係る帯域阻止フィルタを示す構成図である。
【図６】本発明の第３実施形態に係る帯域阻止フィルタの、減衰特性を示す説明図である。
【図７】本発明の第４実施形態に係る帯域阻止フィルタを示す構成図である。
【図８】本発明の第５実施形態に係る帯域阻止フィルタを示す構成図である。
【図９】本発明の第６実施形態に係る帯域阻止フィルタを示す構成図である。
【発明を実施するための形態】
【０００９】
以下、本発明の実施形態を図面に基づいて説明する。
【００１０】
［第１実施形態の説明］
図１は、本発明の第１実施形態に係る帯域阻止フィルタを示す構成図である。図１に示すように、この帯域阻止フィルタ１０１は、例えば、ミリ波以上の高周波信号を送信する伝送路１０の経路上に設けられ、遮断周波数ｆｃの波長λｃに対して１／４波長の電気長（λｃ／４）を有する線路１１（第１の線路）と、該線路１１と非接触で近接し、且つ平行に配置され、波長λｃに対して１／４波長（線路１１と同一の波長）の電気長（λｃ／４）を有する線路１１ａ（第１の結合線路）と、を備えている。この際、線路１１と線路１１ａとの間隔は、線路幅の２倍以下の距離とすることが好ましい。
【００１１】
また、線路１１ａには、波長λｃに対して１／２波長の電気長（λｃ／２）を有する線路１２と、波長λｃに対して１／４波長の電気長（λｃ／４）を有する線路１３（第２の線路）、及び電気長（λｃ／２）を有する線路１４が接続され、これらの線路１１ａ，１２，１３，１４は、線路長が（３／２）*λｃのリング形状をなすリング状経路とされている。
【００１２】
更に、線路１３の近傍には、該線路１３と非接触で近接し、且つ平行に配置された電気長（λｃ／４）を有する線路１３ａ（第２の結合線路）と、該線路１３ａの一端側に接続された電気長（λｃ／４）を有する開放型スタブ１５（第１のスタブ）と、線路１３ａの他端側に接続されたＬＣスタブ１６（第２のスタブ）が設けられている。この際、線路１３と線路１３ａの間隔は、線路１１，１１ａの場合と同様に、線路幅の２倍以下の距離とすることが好ましい。
【００１３】
ここで、線路１１，１１ａは、一例として電気長（λｃ／４）としたが、｛（２ｐ−１）／４｝*λｃ（但し、ｐ＝１，２，３・・）とすることができる。即ち、１／４波長の奇数倍とすることができる。（λｃ／４）は、ｐ＝１の場合を示している。また、線路１２，１４の電気長は、一例として電気長（λｃ／２）としたが、｛（２ｍ−１）／２｝*λｃ（但し、ｍ＝１，２，３・・）とすることができる。即ち、１／２波長の奇数倍とすることができる。（λｃ／２）は、ｍ＝１の場合を示している。また、線路１１ａ，１２，１３，１４からなるリング状経路全体の電気長（１周の電気長）を、一例として電気長（３／２）*λｃとしたが、｛（２ｍ−１）／２｝*λｃ（但し、ｍ＝２，３，４・・）とすることができる。即ち、１／２波長の奇数倍とすることができる。（３／２）*λｃは、ｍ＝２の場合を示している。
【００１４】
ＬＣスタブ１６は、インダクタンスＬとキャパシタンスＣが、ω＝１／（ＬＣ）１／２（但し、ωは波長λｃに対応する角周波数）となるように、線路長、及びグランドとの間のギャップが設定されている。従って、該ＬＣスタブ１６に伝達される波長λｃの信号は、該ＬＣスタブ１６にて共振し、減衰する。
【００１５】
次に、第１実施形態に係る帯域阻止フィルタ１０１の作用について説明する。伝送路１０を経由して送信される高周波信号は、線路１１を通過することにより、遮断周波数ｆｃの波長である波長λｃの信号が共振する。即ち、線路１１は、電気長（λｃ／４）とされているので、波長λｃの信号が強め合う。更に、この波長λｃの信号は電磁誘導により該線路１１の近傍に配置された線路１１ａに伝達される。
【００１６】
更に、線路１１ａに伝達された波長λｃの信号は、（３／２）*λｃとされたリング状経路にて共振し、電気長（λｃ／４）の線路１３に伝達される。従って、線路１３にて波長λｃの信号が強め合い、該線路１３の近傍に配置された線路１３ａに伝達される。
【００１７】
その後、波長λｃの信号は、電気長（λｃ／４）の開放型スタブ１５に伝達され、該開放型スタブ１５にて減衰する。更に、波長λｃの信号は、ＬＣスタブ１６に伝達され、該ＬＣスタブ１６で共振し、減衰する。即ち、伝送路１０を通過する信号のうち、波長λｃとなる周波数成分の信号は、線路１１から線路１１ａに伝達され、更に、線路１３から線路１３ａに伝達されて、開放型スタブ１５、及びＬＣスタブ１６に伝達され、該開放型スタブ１５、及びＬＣスタブ１６にて減衰する。
【００１８】
従って、伝送路１０を送信される高周波信号のうち、所望の遮断周波数ｆｃ（波長λｃ）の成分のみを選択的に減衰させることができる。また、線路１１と線路１１ａは、近接配置されており、物理的には遮断されているので、伝送路１０を伝達する信号のうち、遮断周波数ｆｃ（波長λｃ）以外の信号については、線路１１ａ側に伝達されることはなく、ほぼ全ての信号が伝送路１０の下流側へと送信される。従って、遮断周波数ｆｃ以外の周波数成分の信号を減衰させることなく、伝送路１０を送信させることができる。
【００１９】
図２は、図１に示した帯域阻止フィルタ１０１を用いて所望の遮断周波数ｆｃ（波長λｃ）を減衰させたときの、周波数に対する遮断特性を示す図であり、図示のように、所望する遮断周波数ｆｃにて急峻な減衰特性を有していることが理解される。
【００２０】
このようにして、本発明の第１実施形態に係る帯域阻止フィルタ１０１では、信号伝送用の伝送路１０上に、電気長（λｃ／４）を有する線路１１（第１の線路）を設け、更に、該線路１１の近傍には線路１１ａ（第１の結合線路）を平行に配置している。また、線路１１ａ，１２，１３，１４によりリング状経路を構成し、リング状経路の電気長を（３／４）*λｃとし、線路１３（第２の線路）の近傍には線路１３ａ（第２の結合線路）を平行に配置している。更に、線路１３の一端を開放型スタブ１５に接続している。従って、リング状経路に伝達された遮断周波数ｆｃの信号を、開放型スタブ１５、及びＬＣスタブ１６にて減衰させることができる。その結果、伝送路１０を送信される高周波信号から、遮断周波数ｆｃの成分を選択的に除去することが可能となる。
【００２１】
更に、線路１１と１１ａが物理的に遮断されており、且つ、線路１３と１３ａが物理的に遮断されているので、遮断周波数ｆｃ以外の周波数信号が線路１１から線路１１ａに伝達されることを防止でき、フィルタのＱ値を高めることができる。その結果、通過させるべき周波数帯域の信号の損失を低減することが可能となる。
【００２２】
更に、線路１３の他端にＬＣスタブ（第２のスタブ）を設けているので、電気長（λｃ／４）の信号を確実に除去することができる。
【００２３】
また、線路１１（第１の線路）の電気長を、遮断周波数の１／４の奇数倍としているので、遮断周波数の信号を共振させてリング状経路へと伝達させることができ、遮断周波数成分を確実に除去することができる。
【００２４】
同様に、線路１３（第２の線路）の電気長を、遮断周波数の１／４の奇数倍としているので、遮断周波数の信号を共振させて開放型スタブ１５へと伝達させることができ、遮断周波数成分を確実に除去することができる。
【００２５】
更に、リング状経路の一周を、遮断周波数の１／２波長の奇数倍（例えば、３／２*λｃ）としているので、遮断周波数成分をリング状経路で共振させることができ、遮断周波数成分を確実に除去することができる。
【００２６】
また、開放型スタブ１５（第１のスタブ）の電気長を、遮断周波数の１／４の奇数倍としているので、線路１３ａに伝達された遮断周波数の信号を該開放型スタブ１５により確実に除去することができる。
【００２７】
なお、上述した第１実施形態では、線路１３と１３ａが近接して配置される例、即ち、開放型スタブ１５が線路１３に対して間接的に接続される例について説明したが、線路１３については、従来のように開放型スタブ１５を直接接続する構成とすることも可能である。
【００２８】
［第２実施形態の説明］
次に、第２実施形態について説明する。図３は、本発明の第２実施形態に係る帯域阻止フィルタを示す構成図である。図示のように、第２実施形態に係る帯域阻止フィルタ１０２は、前述した第１実施形態と対比して、開放型スタブ２５の電気長が、波長λc2に対する１／４波長「λc2／４」とされている点、及びＬＣスタブ２６が波長λc2に対応する角周波数ωで共振するように設定されている点で相違している。即ち、線路１１，１１ａ、及び線路１３，１３ａの電気長はそれぞれ第１の波長λc1の１／４波長である「λc1／４」とされ、線路１２，１４の電気長は第１の波長λc1の１／２波長である「λc1／２」とされ、開放型スタブ２５の電気長は第２の波長λc2の１／４波長である「λc2／４」とされている。
【００２９】
ここで、第２の波長λc2は、第１の波長λc1と若干異なる波長である。例えば、第１の波長λc1の透過特性曲線のピーク値に対して３ｄＢとなる点と、第２の波長λc2の透過特性曲線のピーク値に対して３ｄＢとなる点が交差するように、第２の波長λc2を選択することができる。具体例について図２を参照して説明すると、遮断周波数ｆｃのピークから３ｄＢだけ上昇した点と、遮断周波数ｆ２のピークから３ｄＢだけ上昇した点が交差する場合に、遮断周波数ｆｃに対応する波長を第１の波長λc1とし、遮断周波数ｆ２に対応する波長を第２の波長λc2とすれば良い。即ち、開放型スタブ２５（第１のスタブ）は、第１の遮断周波数（λc1）とは若干異なる第２の遮断周波数（λc2）の１／４波長の奇数倍とされた電気長を有している。
【００３０】
このような構成を有する第２実施形態に係る帯域阻止フィルタ１０２では、リンク形状をなす各線路１１ａ，１２，１３，１４により遮断周波数ｆc1（波長λc1）の成分を除去することができ、且つ、開放型スタブ２５及びＬＣスタブ２６により、遮断周波数ｆc2（波長λc2）の成分を除去することができるので、結果として、ｆc1〜ｆc2の周波数帯域の信号を減衰させることができる。
【００３１】
図４は、第２実施形態に係る帯域阻止フィルタ１０２による遮断特性を示す図であり、図示のように遮断特性は急峻ではないものの、λc1〜λc2の周波数帯域の信号を除去できることが理解される。
【００３２】
このようにして、第２実施形態に係る帯域阻止フィルタ１０２では、第１の波長λc1で共振させ、更に、この波長λc1に近接する第２の波長λc2を電気長とした開放型スタブ２５、及び第２の波長λc2に対応するωとなる特性を有するＬＣスタブ２６を用いるので、λc1〜λc2の周波数帯域の信号を減衰させることができる。また、この帯域以外の周波数の信号は、線路１１から線路１１ａに伝達されないので、減衰することが防止され、通過させるべき周波数帯域の信号の損失を低減することが可能となる。
【００３３】
［第３実施形態の説明］
次に、第３実施形態について説明する。図５は、本発明の第３実施形態に係る帯域阻止フィルタを示す構成図である。図示のように、第３実施形態に係る帯域阻止フィルタ１０３は、前述した第１実施形態と対比して、伝送路１０に設けられる線路１１が、並列に２系統設けられている点で相違している。即ち、伝送路１０には、電気長λｃ／４を有する線路１１、及び１１-1が並列接続されている。更に、各線路１１，１１-1に近接して線路１１ａ、及び１１ａ-1が設けられ、並列に接続されている。即ち、第１の線路と第１の結合線路はそれぞれ複数個設けられて互いに近接配置されている。
【００３４】
この際、線路１１と線路１１ａとの間隔と、線路１１-1と線路１１ａ-1との間隔は等しく設定され、線路１１ａ-1と線路１１との間隔と、線路１１ａ-1と線路１１-1との間隔は等しく設定されている。２系統の線路１１，１１-1、及び１１ａ，１１ａ-1が設けられていること以外については、前述した図１と同様の構成である。
【００３５】
そして、第３実施形態に係る帯域阻止フィルタ１０３では、伝送路１０に２系統の線路１１，１１-1（第１の線路）が設けられ、これと近接配置された線路１１ａ，１１ａ-1（第１の結合線路）が設けられており、これらの間で、遮断周波数ｆｃ（波長λｃ）の信号がリング状経路側に伝達されるので、より効率良く遮断周波数ｆｃの信号を除去することが可能となる。その結果、周波数特性を向上させることができる。
【００３６】
図６は、図５に示した帯域阻止フィルタ１０３を用いて所望の遮断周波数ｆｃ（波長λｃ）を減衰させたときの、周波数に対する遮断特性を示す図であり、図示のように、所望の遮断周波数ｆｃにて急峻な減衰特性を有していることが理解される。また、この周波数特性は、図２に示した特性よりも急峻であり、フィルタのＱ値が高くなっていることが理解される。
【００３７】
このようにして、本発明の第３実施形態に係る帯域阻止フィルタ１０３では、信号伝送用の伝送路１０上に、電気長（λｃ／４）を有する２系統の線路１１，１１-1（第１の線路）を並列に設け、更に、各線路１１，１１-1の近傍には、線路１１ａ，１１ａ-1（第１の結合線路）を平行に配置している。また、線路１１ａ，１１ａ-1，１２，１３，１４によりリング状経路を構成し、リング状経路の電気長を（３／２）*λｃとしている。また、線路１３（第２の線路）の近傍には線路１３ａ（第２の結合線路）を平行配置し、線路１３の一端を開放型スタブ１５に接続し、他端をＬＣスタブ１６に接続している。
【００３８】
従って、伝送路１０を伝送される高周波信号から、遮断周波数ｆｃの信号をより確実にリング状経路に導入することができ、遮断周波数成分をより高精度に除去することが可能となる。
【００３９】
更に、前述した第１，第２実施形態と同様に、線路１１，１１-1と線路１１ａ，１１ａ-1が物理的に遮断されているので、遮断周波数ｆｃの帯域以外の周波数信号が線路１１から線路１１ａに伝達されることを防止でき、通過させるべき周波数帯域の信号の損失を低減することが可能となる。
【００４０】
なお、第３実施形態では、２系統の線路１１，１１-1を設ける例について説明したが、３系統以上（複数系統）とすることもできる。また、線路１３と線路１３ａとの間についても、複数系統とすることにより、遮断周波数信号の伝達効率を向上させることも可能である。
【００４１】
［第４実施形態の説明］
次に、第４実施形態について説明する。図７は、本発明の第４実施形態に係る帯域阻止フィルタを示す構成図である。図示のように、第５実施形態に係る帯域阻止フィルタ１０４は、前述した第１実施形態と対比して、リング状経路に設けられる線路２２の電気長がλｃ／４とされ、線路２４の電気長が３／４*λｃとされている点で相違する。即ち、リングの合計の電気長は、３／２*λとされている。
【００４２】
このような構成とした場合でも、前述した第１実施形態と同様の効果を達成することができる。
【００４３】
［第５実施形態の説明］
次に、第５実施形態について説明する。図８は、本発明の第５実施形態に係る帯域阻止フィルタを示す構成図である。図示のように、第５実施形態に係る帯域阻止フィルタ１０５は、前述した第１実施形態と対比して、各線路の周囲にコープレーナウェーブガイド４１，４２が設けられている点で相違している。即ち、リング状経路の内部にコープレーナウェーブガイド４２が設けられ、外周部にコープレーナウェーブガイド４１が設けられている。そして、該コープレーナウェーブガイド４１，４２は、グランドに接地されている。
【００４４】
また、ＬＣスタブ１６の線路幅Ｗ、線路長Ｌ、及びグランドとのギャップＧに基づいて、遮断周波数ｆｃを設定する。例えば、線路幅Ｗ＝５０μｍ、線路長Ｌ＝２５０μｍ、ギャップＧ＝１５０μｍである場合に、これらのデータからＬＣスタブ１６のキャパシタンス、インダクタンスを求め、この数値から遮断周波数ｆｃを設定する。
【００４５】
そして、第５実施形態に係る帯域阻止フィルタ１０５では、コープレーナウェーブガイド４１，４２を設けることにより、遮断周波数が高い場合であっても、この周波数成分の信号が外部に漏れ出ること無く、該遮断周波数の信号を効率良く減衰させることができる。従って、減衰特性を向上させることができる。
【００４６】
［第６実施形態の説明］
次に、第６実施形態について説明する。図９は、本発明の第６実施形態に係る帯域阻止フィルタを示す構成図である。図示のように、第６実施形態に係る帯域阻止フィルタ１０６は、遮断周波数ｆｃの波長λｃに対して１／４波長の電気長（λｃ／４）を有する線路３１と、該線路３１と近接し且つ平行に配置され、波長λｃに対して１／４波長の電気長（λｃ／４）を有する線路３１ａと、を備えている。この際、線路３１と線路３１ａとの間隔は、線路幅の２倍以下の距離とすることが好ましい。更に、線路３１ａには、波長λｃに対して１／２波長の電気長（λｃ／２）を有する線路３２と、波長λｃに対して１／４波長の電気長（λｃ／４）を有する線路３３、及び電気長（λｃ／２）を有する線路３４が接続され、これらの線路３１ａ，３２，３３，３４は、線路長が（３／２）*λｃのリング形状をなすリング状経路とされている。このリング状経路は、線路３１ａ及び線路３３の部分は直線状とされており、それ以外の部分は円弧形状に構成されている。即ち、リング状経路の少なくとも一部が円弧状をなしている。
【００４７】
線路３３の近傍となるリング状経路の内側には、該線路３３と近接し且つ平行に配置された電気長（λｃ／４）を有する線路３３ａが設けられている。そして、該線路３３ａの一端側に接続された電気長（λｃ／４）を有する開放型スタブ３５と、線路３３ａの他端側に接続されたＬＣスタブ３６が設けられている。この際、線路３３と線路３３ａの間隔は、線路３１，３１ａの場合と同様に、線路幅の２倍以下の距離とすることが好ましい。
【００４８】
ＬＣスタブ３６は、インダクタンスＬとキャパシタンスＣが、ω＝１／（ＬＣ）１／２（但し、ωは波長λｃに対応する角周波数）となるように、線路長、及びグランドとの間のギャップが設定されている。
【００４９】
そして、上述のように構成された第６実施形態に係る帯域阻止フィルタ１０６では、前述した第１実施形態と同様に、伝送路１０を経由して送信される高周波信号は、線路３１を通過することにより、遮断周波数ｆｃの波長である波長λｃの信号が共振する。そして、この波長λｃの信号は電磁誘導により該線路３１の近傍に配置された線路３１ａに伝達される。
【００５０】
更に、線路３１ａに伝達された波長λｃの信号は、（３／２）*λｃとされたリング状経路にて共振し、電気長（λｃ／４）の線路３３に伝達される。従って、線路３３にて波長λｃの信号が強め合い、該線路３３の近傍に配置された線路３３ａに伝達される。
【００５１】
その後、波長λｃの信号は、電気長（λｃ／４）の開放型スタブ３５に伝達され、該開放型スタブ３５にて減衰する。更に、１／４λｃの信号は、ＬＣスタブ３６に伝達され、該ＬＣスタブ３６で共振し、減衰する。
【００５２】
従って、伝送路１０を送信される高周波信号のうち、所望の遮断周波数ｆｃ（波長λｃ）の成分のみを選択的に減衰させることができる。また、線路３１と線路３１ａは、近接配置されており、物理的には遮断されているので、伝送路１０を伝達する信号のうち、遮断周波数ｆｃ（波長λｃ）以外の信号については、線路３１ａ側に伝達されることはなく、ほぼ全ての信号が伝送路１０の下流側へと送信される。従って、遮断周波数ｆｃ以外の周波数成分の信号を減衰させることなく、伝送路１０を送信させることができる。
【００５３】
また、線路３３ａ、及び該線路３３ａに接続される開放型スタブ３５、及びＬＣスタブ３６は、リング状経路の内側に設けられるので、設置スペースを削減でき、小型化を図ることができる。
【００５４】
更に、リング状経路が円弧形状とされているので、リング状経路内に設けられた開放型スタブ３５、及びＬＣスタブ３６と、線路３２，３４との間を遠ざけることができ、両者間の電磁波の影響を低減することができる。
【００５５】
以上、本発明の帯域阻止フィルタを図示の実施形態に基づいて説明したが、本発明はこれに限定されるものではなく、各部の構成は、同様の機能を有する任意の構成のものに置き換えることができる。
【産業上の利用可能性】
【００５６】
本発明は、ミリ波以上の高周波信号から所望する周波数帯域の信号を除去することに利用することができる。
【符号の説明】
【００５７】
１０    伝送路
１１    線路（第１の線路）
１１ａ  線路（第１の結合線路）
１３    線路（第２の線路）
１３ａ  線路（第２の結合線路）
１５，２５，３５  開放型スタブ
１６，２６，３６  ＬＣスタブ
４１，４２  コープレーナウェーブガイド
１０１，１０２，１０３，１０４，１０５，１０６  帯域阻止フィルタ
【図１】
2015130586.tif 000003
【図２】
2015130586.tif 000004
【図３】
2015130586.tif 000005
【図４】
2015130586.tif 000006
【図５】
2015130586.tif 000007
【図６】
2015130586.tif 000008
【図７】
2015130586.tif 000009
【図８】
2015130586.tif 000010
【図９】
2015130586.tif 000011